(57)【要約】【課題】【解決手段】本発明は、全面を覆いかつフィルム材料からなる、接合された外側の拡散バリヤ層と、内側表面を連続的に形成しかつプラスチックからなる支持層とを有する容器に関する。プラスチックは、酸素および／または二酸化炭素の拡散に対する優れたバリヤ効果を有する必要がない。【選択図】      図１
2008513305.tif 000002
【特許請求の範囲】
【請求項１】
全面を覆いかつフィルム材料からなる、接合された外側の拡散バリヤ層と、内側表面を連続的に形成しかつプラスチックからなる支持層とを有する形状安定かつ液密な容器。
【請求項２】
前記拡散バリヤ層の前記フィルム材料は、アルミニウムまたはアルミニウム合金がラミネートされたプラスチックフィルムであり、特にポリエチレンフィルム（ＰＥフィルム）またはポリプロピレンフィルム（ＰＰフィルム）であることを特徴とする請求項１に記載の容器。
【請求項３】
前記拡散バリヤ層の前記フィルム材料は、エチルビニルアルコールフィルム（ＥＶＯＨフィルム）であることを特徴とする請求項１に記載の容器。
【請求項４】
前記エチルビニルアルコールフィルム（ＥＶＯＨフィルム）は、アルミニウムまたはアルミニウム合金が蒸着によりラミネートされていることを特徴とする請求項３に記載の容器。
【請求項５】
前記拡散バリヤ層のアルミニウムの側またはアルミニウム合金の側は、前記容器の外面であることを特徴とする請求項２または４に記載の容器。
【請求項６】
前記拡散バリヤ層のアルミニウムの側またはアルミニウム合金の側は、プラスチック、特にポリエチレン（ＰＥ）またはポリプロピレン（ＰＰ）からなる外側の被覆層を有することを特徴とする請求項２または４に記載の容器。
【請求項７】
前記被覆層は、全面を覆っていることを特徴とする請求項６に記載の容器。
【請求項８】
前記被覆層は、単層であることを特徴とする請求項６または7に記載の容器。
【請求項９】
前記被覆層は、多層であることを特徴とする請求項６または7に記載の容器。
【請求項１０】
前記被覆層は、透明であることを特徴とする請求項６ないし９のいずれか1に記載の容器。
【請求項１１】
前記被覆層は、不透明であることを特徴とする請求項６ないし９のいずれか1に記載の容器。
【請求項１２】
前記拡散バリヤ層を形成するフィルム材料を、全面に亘って、プラスチック成形技術の金型へ挿入し、この金型に、成形可能なかつ接合可能な状態にあるプラスチックを供給し、このプラスチックの硬化後に、接合された前記拡散バリヤ層を有する容器を、前記金型から取り出すことを特徴とする請求項１ないし１１のいずれか1に記載の容器を製造する方法。
【請求項１３】
前記フィルム材料を、アルミニウムの側またはアルミニウム合金の側を外側に向けたままで、金型に挿入することを特徴とする請求項１２に記載の方法。
【請求項１４】
前記フィルム材料を、継目で重ね合わせて、前記金型に挿入することを特徴とする請求項１２または１３のいずれか１に記載の方法。
【請求項１５】
前記方法を、プラスチック射出成形技術の金型を用いて実行することを特徴とする請求項１２ないし１４のいずれか１に記載の方法。
【請求項１６】
前記方法を、プラスチック吹込み成形技術の金型を用いて実行することを特徴とする請求項１２ないし１４のいずれか１に記載の方法。
【請求項１７】
酸素および／または二酸化炭素の拡散に対する優れたバリヤ効果を有しないプラスチック、特にポリエチレン（ＰＥ）またはポリプロピレン（ＰＰ）を含むことを特徴とする請求項１ないし１６のいずれか１に記載の容器または方法。
【発明の詳細な説明】
【技術分野】
【０００１】
本発明は、形状安定性および液密性を有する容器に関する。この容器は、特に、液体を詰めるための容器、例えば缶および飲料用ボトルである。
【背景技術】
【０００２】
種々の材料からなる飲料用ボトルが知られている。ガラス製の飲料用ボトルは広範囲に普及している。ガラスは、その光透過性を除いて、外側からの実際のすべての影響を及ぼさない。ガラスボトルのリサイクルは、徹底的な洗浄後の再利用によってであれ、溶解によってであれ、問題なく可能である。飲料用のガラスボトルの使用に関しては、幾らか高い製造コストのほかに、光透過性および非常な重量がマイナスとなる。
【０００３】
ガラス製の飲料用ボトルは、益々、プラスチック製のボトルによって代替される。プラスチック射出成形技術またはプラスチック吹込み成形技術による飲料用ボトルは、安価に製造され、軽い重量を有する。しかしながら、酸素および二酸化炭素の拡散に対する良好なバリヤ効果を達成するために、特別な、比較的高価なプラスチック材料、例えば、ポリエチレンテレフタレート（ＰＥＴ）を使用する必要がある。しかし、プラスチックボトルの場合、酸素および二酸化炭素の拡散に対するバリヤ効果は、ガラスボトルのバリヤ効果に及ばない。このことは、耐久性および飲料の味への悪影響を有する。
【０００４】
アルミニウムボトルは、特に、高級な飲料の市場領域で、使用される。アルミニウムボトルの製造コストは、プラスチックボトルの製造コストよりも著しく高い。アルミニウムは、可視の紫外線を遮断する。アルミニウムは、酸素および二酸化炭素の拡散に対する優れたバリヤ効果を有する。純アルミニウムは、食料品のために限りなく役に立つ。しかしながら、１００％純粋なアルミニウムの製造は、技術的には不可能である。アルミニウムは、常に、食料品と直接に触れるので問題となる最小限の量の重金属を含む。従って、アルミニウム製の飲料用ボトルは、通常、内側に塗装が施されている。この塗装は高価である。
【０００５】
US 4 601 926 Aからは、プラスチックボトルにバリヤラベルを備えることが公知である。ラベルは、高いバリヤ効果を有する熱活性可能な接着剤の層を有するアルミニウムフィルムからなる。ボトルは、吹込み成形技術で製造される。ラベルは、吹込み成形型に挿入され、活性温度に加熱され、ボトル本体はラベルに付着成形される。ラベルは、ボトル本体の中央の円筒状の部分を囲んでいる。
【０００６】
GB 2 205 295 Aからは、同様に、プラスチックボトルに、貼着されるバリヤラベルを備えることが公知である。複数のバリヤ層を有するプラスチックボトルは、DE 21 11 880 A1およびDE 19 23 860 A１から公知である。
【０００７】
EP 0 786 414 Aは、複合材料製の容器に関する。この容器を製造するためには、紙製の外側容器を金属金型に入れて、プラスチック製の内側容器を外側容器に付着成形する。
【発明の開示】
【発明が解決しようとする課題】
【０００８】
本発明の課題は、安価に製造されることができ、アルミニウム容器およびプラスチック容器の好都合な特性を組み合わせる形状安定かつ液密な容器を提供することである。
【課題を解決するための手段】
【０００９】
上記課題は、全面を覆いかつフィルム材料からなる、接合された外側の拡散バリヤ層と、内側表面を連続的に形成しかつプラスチックからなる支持層とを有する容器によって解決される。
【００１０】
フィルム材料からなる外側の拡散層は、酸素および二酸化炭素の拡散に対する良好なバリヤ効果を保証する。高々０．５ｍｍの僅かなフィルムの厚さの故に、バリヤ層のための材料コストは僅かである。内側表面を形成しかつプチックからなる支持層のためには、食料品のために役に立つが、酸素または二酸化炭素の拡散に対する優れたバリヤ効果を有する必要がないプラスチック材料が必要である。従って、比較的安価なプラスチック、例えばポリエチレン（ＰＥ）またはポリプロピレン（ＰＰ）で間に合わせることができる。プラスチックからなる支持層を、射出成形または吹込み成形によって安価に製造することができる。
【００１１】
好ましい実施の形態では、拡散バリヤ層のフィルム材料は、アルミニウムまたはアルミニウム合金でラミネートされたプラスチックフィルムであり、特にポリエチレンフィルム（ＰＥフィルム）またはポリプロピレンフィルム（ＰＰフィルム）である。フィルムのアルミニウム層またはアルミニウム合金層は、可視の紫外線を遮断し、酸素および二酸化炭素の拡散に対する優れたバリヤ効果を保証する。フィルムのプラスチック層は、容器中味の、アルミニウムとの直接的な接触を妨げる。容器の外的印象は、高級なアルミニウム容器のそれでもあり得る。
【００１２】
他の好ましい実施の形態では、拡散バリヤ層のフィルム材料は、エチルビニルアルコールフィルム（ＥＶＯＨフィルム）である。この材料は、酸素および二酸化炭素の拡散に対する非常に良好なバリヤ効果を有することを特徴とする。容器に、高級なアルミニウム容器の外的印象を付与するために、ＥＶＯＨフィルムは、アルミニウムまたはアルミニウム合金で蒸着されていてもよい。
【００１３】
好ましい実施の形態では、拡散バリヤ層のアルミニウムの側またはアルミニウム合金の側は、容器の外面である。このとき、この容器は、高級のアルミニウム容器という偽りのない印象を有する。
【００１４】
しかし、他の好ましい実施の形態では、拡散バリヤ層のアルミニウムの側またはアルミニウム合金の側は、肉眼的なデザインの保護のためにおよび／またはその目的のために用いられる、プラスチックからなる被覆層を有することが可能である。被覆層は全面に及びまたは部分面において延び、単層または多層、透明または不透明であってもよい。透明な被覆層は高級なアルミニウム容器という印象を保つ。
【００１５】
容器を製造する好ましい方法は、拡散バリヤ層を形成するフィルム材料を、全面に亘って、プラスチック成形技術の金型へ挿入し、この金型に、成形可能なかつ接合可能な状態にあるプラスチックを供給し、このプラスチックの硬化後に、接合された拡散バリヤ層を有する容器を、金型から取り出すことにある。
【００１６】
好ましい実施の形態では、フィルム材料を、アルミニウム面またはアルミニウム合金面を外側に向けたままで、金型に挿入する。
【００１７】
好ましい実施の形態では、フィルム材料を、１個または複数個で、継目で重ね合わせて、金型に挿入する。
【００１８】
本発明に係わる容器を製造する方法を、プラスチック射出成形技術の金型およびプラスチック吹込み成形技術の金型を用いて実行することができる。注型または吹込みのために用いられるプラスチックは、酸素および／または二酸化炭素の拡散に対する優れたバリヤ効果を有する必要がない。プラスチックは、拡散バリヤ層の元になるフィルム材料の内側で、プラスチックに接合可能でなければならない。このプラスチックは、同様のプラスチック、例えばポリエチレン（ＰＥ）またはポリプロピレン（ＰＰ）であってもよい。
【００１９】
知られるように酸素および／または二酸化炭素の拡散に対する優れたバリヤ効果を有するプラスチックは、ポリエチレンテレフタレート（ＰＥＴ）である。しかしながら、本発明はＰＥＴを対象としない。何故ならば、酸素および／または二酸化炭素の拡散に対するバリヤ効果は、フィルム材料からなる拡散バリヤ層によって担われるからである。
【００２０】
本発明のために選択対象となるプラスチックは、ポリプロピレン（ＰＰ）である。ＰＰは、薄肉部分の射出成形のためには非常に適しており、食料品のために役立ち、酸素および／または二酸化炭素の拡散に対する優れたバリヤ効果を有さず、従って、安価である。他の非常に適切なプラスチックは、ポリエチレン（ＰＥ）である。
【発明を実施するための最良の形態】
【００２１】
実施の形態１
ボトルの製造のために用いられる、プラスチック射出成形技術またはプラスチック吹込み成形技術の金型へ、只１つのフィルムブランクが挿入される。フィルムは、アルミニウムで被覆されたポリプロピレン製の複合フィルムである。フィルムは、ミクロで発泡されたポリプロピレンからなる芯を有し、この芯にはアルミニウムがラミネートされている。ブランクは、継目において重ね合わせるようにして全面に亘って、アルミニウム層が外側へ向いているように、金型へ挿入される。金型では、熱い液状のポリプロピレンが、射出または吹込みで成形され、プラスチックの硬化後に、完成したボトルが取り出される。ボトルは、全面を覆いかつフィルム厚のアルミニウムからなる、接合された外層を有する。
【００２２】
実施の形態２
フィルムブランクが、複数の部分の形で、継目で重ね合わせるようにして全面に亘って、金型に挿入されることを除いて、実施の形態１と同様である。
【００２３】
実施の形態３
アルミニウムで被覆されたポリプロピレンフィルムのアルミニウム層の外側が、全面に亘って、フィルム厚のポリプロピレンで被覆されていることを除いて、実施の形態１または２と同様である。拡散バリヤ層のフィルム材料は、真中にアルミニウム層を有しかつ内側および外側に複数のポリプロピレン層を有する３層構造の複合フィルムである。
【００２４】
実施の形態４
フィルムブランクが、アルミニウムで蒸着されたエチルビニルアルコールフィルム（ＥＶＯＨフィルム）からなり、アルミニウム面を外側へ向けたままで、金型に挿入されることを除いて、実施の形態１または２と同様である。
【００２５】
実施の形態５
ボトルが２つの部分から製造され、すなわち、一方では、ネックと、ショルダと、腹部とからなる本体と、他方では底部とで製造されることを除いて、実施の形態１ないし４のうちの１と同様である。本体および底部は互いにヒートシールされる。
【図面の簡単な説明】
【００２６】
【図１】実施の形態５に記載のボトルを縦断面図で示す。
【図１】
2008513305.tif 000003
【国際調査報告】
2008513305.tif 000004
2008513305.tif 000005
2008513305.tif 000006
2008513305.tif 000007
2008513305.tif 000008
2008513305.tif 000009